(57)【要約】      （修正有）【課題】排気ガスが流入するときに予め溶液が気化されている浄化装置を提供し、もって、浄化作用の向上を図ることを目的とする。【解決手段】上部と下部とからなる横長状の浄化装置本体において、浄化装置１本体の上部に排気ガスが流入する流入口１１ａを設けて、流入口と連結させて横長の排気ガス流入管１１ｂを配置し、浄化装置本体の下部には液体タンク１４ａを配置すると共に、液体タンク内に液体を加熱して気化させるヒーター１５を設けてなり、流入した排気ガスは、ヒーターによって気化された液体と混合すると共に除塵フィルタ１７によって除塵され、排出口１８から排出されることを特徴とするガス浄化装置本体およびシステム。【選択図】図２
0003118698.tif 000002
【実用新案登録請求の範囲】
【請求項１】
上部と下部とからなる浄化装置本体において、浄化装置本体の上部に排気ガスが流入する流入口を設けて、流入口と連結させて排気ガス流入管を配置し、浄化装置本体の下部には液体タンクを配置すると共に、液体タンク内に液体を加熱して気化させるヒーターを設けてなり、流入した排気ガスは、ヒーターによって気化された液体と混合すると共に除塵フィルタによって除塵され、排出口から排出されることを特徴とするガス浄化装置本体。
【請求項２】
上部と下部とからなる横長の浄化装置本体において、浄化装置本体の上部に排気ガスが流入する流入口を設けて、流入口と連結させて横長の排気ガス流入管を配置し、浄化装置本体の下部には液体タンクを配置すると共に、液体タンク内に液体を加熱して気化させるヒーターを設けてなり、流入した排気ガスは、ヒーターによって気化された液体と混合すると共に除塵フィルタによって除塵され、排出口から排出されることを特徴とするガス浄化装置本体。
【請求項３】
液体タンク内の液体が樹液を含んだ水溶液からなることを特徴とする請求項１又は２記載のガス浄化装置本体。
【請求項４】
請求項１、２又は３記載の浄化装置本体の排出口に集塵容器が接続され、集塵容器が略円筒状からなる容器であって、集塵容器内に設けられた除塵フィルタによって除塵を行うことを特徴とするガス浄化装置システム。
【考案の詳細な説明】
【技術分野】
【０００１】
本発明は排気ガスの浄化装置に関する。
【背景技術】
【０００２】
従来の排気ガス（例えば自動車からの排気ガス）の浄化装置として、浄化装置に導入される高温の排気ガスによって浄化装置内に収容された液体タンク内の溶液を加熱・気化するタイプのものが存在する。
【考案の開示】
【考案が解決しようとする課題】
【０００３】
しかし、かかる浄化装置では、排気ガスによって溶液が気化するまでの間は十分な浄化作用を期待することはできない。
【０００４】
したがって、本考案は、排気ガスが流入するときに予め溶液が気化されている浄化装置を提供し、もって、浄化作用の向上を図ることを目的とする。
【課題を解決するための手段】
【０００５】
そこで、請求項１に係る考案は、上部と下部とからなる浄化装置本体において、浄化装置本体の上部に排気ガスが流入する流入口を設けて、流入口と連結させて排気ガス流入管を配置し、浄化装置本体の下部には液体タンクを配置すると共に、液体タンク内に液体を加熱して気化させるヒーターを設けてなり、流入した排気ガスは、ヒーターによって気化された液体と混合すると共に除塵フィルタによって除塵され、排出口から排出されることを特徴とするガス浄化装置本体である。
【０００６】
また、請求項２に係る考案は、上部と下部とからなる横長の浄化装置本体において、浄化装置本体の上部に排気ガスが流入する流入口を設けて、流入口と連結させて横長の排気ガス流入管を配置し、浄化装置本体の下部には液体タンクを配置すると共に、液体タンク内に液体を加熱して気化させるヒーターを設けてなり、流入した排気ガスは、ヒーターによって気化された液体と混合すると共に除塵フィルタによって除塵され、排出口から排出されることを特徴とするガス浄化装置本体である。
【０００７】
このようなガス浄化装置本体であると、排気ガスの熱によって液体タンク内の液体を加熱ないし気化するのではなく、予め加熱ないし気化するためのヒーターを設けているので、浄化作用の向上を図ることができる。すなわち、排気ガスによって加熱ないし気化する場合、排気ガスが流入してから加熱を経て気化が始まるまでは十分な浄化作用を期待できないという欠点があるが、本考案のように、予め加熱ないし気化するためのヒーターを設けている場合は、排気ガスが流入したときには既に気化状態にあるので、十分な浄化作用が期待できる。
【０００８】
また、上部と下部とからなる横長の浄化装置本体において、浄化装置本体の上部に排気ガスが流入する流入口を設けて、流入口と連結して横長の排気ガス流入管を配置しているから、排気ガスを発生する排気ガス源との距離を比較的長くとれるので、排気ガス源からの排気ガスの流入がスムーズになる。
【０００９】
次に、請求項３にかかる考案は、液体タンク内の液体が樹液を含んだ水溶液からなることを特徴とする請求項１又は２記載のガス浄化装置本体である。
【００１０】
このようなものであると、排気ガス中のＰＭ（粒子状物質）に含まれる有害物質を無害化することができる。
【００１１】
次に、請求項３にかかる考案は、請求項１、２又は３記載の浄化装置本体の排出口に集塵容器が接続され、集塵容器が略円筒状からなる容器であって、集塵容器内に設けられた除塵フィルタによって除塵を行うことを特徴とするガス浄化装置システムである。
【００１２】
このようなガス浄化装置システムであると、集塵容器が略円筒状からなるので、ガス浄化装置本体の排気口からの排気ガスが、集塵容器内において流速が遅くなると共に容器内に滞在する時間が長くなるから、さらなる浄化作用の向上が期待できる。
【考案の効果】
【００１３】
上記のとおり、本考案は、排気ガスの熱によって液体タンク内の液体を加熱ないし気化ではなく、予め加熱ないし気化するためのヒーターを設けているので、浄化作用の向上を図ることができる。すなわち、排気ガスによって加熱ないし気化する場合、排気ガスが流入してから加熱を経て気化が始まるまでは十分な浄化作用を期待できないが、本考案のように、予め加熱ないし気化するためのヒーターを設けている場合は、排気ガスが流入したときには既に気化が始まっているので、十分な浄化作用が期待できる。
【００１４】
また、排気ガス中のＰＭ（粒子状物質）に含まれる有害物質を無害化することができる。
【００１５】
また、ガス浄化装置本体の排気口からの排気ガスが、集塵容器内において流速が遅くなると共に容器内に滞在する時間が長くなるから、さらなる浄化作用が期待できる。
【考案を実施するための最良の形態】
【００１６】
以下、本考案を実施するための最良の形態を、実施例として示す各図と共に説明する。
【実施例】
【００１７】
図１ないし図３は本考案の実施例である。図１は、本考案であるガス浄化装置システムＡを表す斜視図、図２は本考案のガス浄化装置本体１の断面図、図３はガス浄化装置本体１に継ぎ手（パイプＰ）を介して接続される集塵容器２の断面図である。
【００１８】
ガス浄化装置システムＡは、ガス浄化装置本体１と集塵容器２とからなる。
【００１９】
ガス浄化装置本体１には外方向に突出した流入口１１ａが設けられている。流入口１１ａには、排気ガスを発生する排気ガス源（図示しない）がつながっており、排気ガス源からの排気ガスが流入するものである。なお、排気ガスは、例えば、自動車の場合、炭化水素、窒素酸化物、一酸化炭素、粒子状物質などを含んでおり、このような有害物質を可及的に取り除くことを本考案は目的とし、本考案にいう「除塵」とは前記の有害物質を取り除くことを意味する。
【００２０】
なお、本実施例における上部と下部とからなる横長状の浄化装置本体の具体的寸法は縦２５０ｍｍ×横６００ｍｍであるが、特にこれに限るものではない。
【００２１】
流入口１１ａに対しては横長の排気ガス流入管１１ｂがつながっている。排気ガス流入管１１ｂは略円筒状であり、浄化装置本体１の上部にあたる上蓋部１２側に配置されている。排気ガス流入管１１ｂは浄化装置本体１上部に対してほぼ並行に配置されている。また、排気ガス流入管１１ｂの外周には複数の貫通孔１１ｃが設けられている。排気ガス流入管１１ｂに流入した排気ガスは、排気ガス流入管１１ｂの先端口や貫通孔１１ｃを通じて浄化装置本体１内部に導かれる。
【００２２】
浄化装置本体１の下部にあたる下底部１３側には液体タンク１４ａが設置されている。液体タンク１４ａ内の液体は水で良いがこれに限るものではない。水のほかにも、例えば樹液を混合したものでも良い。樹液としてヒノキ水溶液を用いる場合は、排気ガスとヒノキ水溶液とが混合することにより、排気ガスに含まれるＰＭ（粒子状物質）が無害化できるという効果がある。
【００２３】
液体タンク１４ａの底板と下底部１３の底面との間には若干の空間が開いている。液体タンク１４ａ内には加熱用のヒーター１５とフロート１６ａが設けてある。加熱用のヒーター１５は液体タンク１４ａ内の液体を加熱して気化するためのものである。また、液体タンク１４ａ内には水温計１６ｃが設けてある。
【００２４】
フロート１６ａは溶液タンク１４ａ内の水位を一定に保つためのもので、液体タンク１４ａ内の液体が気化して減少して水位が下がると、液体補充タンク（図示しない）と連結している液体導入口１６ｂから液体が流入するので、溶液タンク１４ａ内の水位が一定に保たれる。また、液体補助タンク内の液体は、液体タンク１４ａ内の液体のように加熱されて高温になっておらず、比較的低温であるので、液体タンク１４ａ内の温度を下げる役割をも果す。
【００２５】
この液体タンク１４ａの上部には上板１４ｂが取り付けられており、上板１４ｂには複数の貫通孔１４ｃが形成されている。液体タンク１４ａ内の液体は、貫通孔１４ｃを通じて、液体タンク１４ａ内から浄化装置本体１上部の内部に導かれる。
【００２６】
浄化装置本体１には除塵フィルタ１７が設けられている。除塵フィルタ１７は除塵を行う目の粗いステンレスフィルタであり、排気ガスの除塵を行う。除塵フィルタ１７は浄化装置本体１内部の流出口１８側と他の側を区分するように、浄化装置本体１内部の上下方向に亘って配置され、浄化装置本体１下部から上部にかけて形成されている。除塵フィルタ１７によって流出口１８は覆われることになる。
【００２７】
流入口１１ａから排気ガス流入管１１ｂや貫通孔１１ｃを通じて浄化装置本体１内部に排気ガスが導かれるが、このときヒーター１５によって液体タンク１４ａ内の液体が気化されており、貫通孔１４ｃを通じて液体タンク１４ａ内から浄化装置本体１の内部に導かれているから、排気ガスと気化された液体とが混合する。そして、排気ガスは、浄化装置本体１の内部に形成された除塵フィルタ１７によって除塵され、排出口１８から流出する。なお、排気ガスが流入した後はヒータを停止して、排気ガスの熱によって気化状態を維持することができる。
【００２８】
流出口１８から流出した排気ガスは集塵容器２に導かれる。
【００２９】
集塵容器２は上部２ａと下部２ｂとからなり、上部２ａと下部２ｂが一体となって円筒状の容器を形成する。上部２ａから下部２ｂに至るまで略一様の容積を有する。この容器は上部２ａと下部２ａに分離可能となっており、上部２ａと下部２ｂとはボルト及びナット等で連結される。
【００３０】
上部２ａには、前記流出口１８と連結する流入口２１と、最終的に排気ガスが流出する流出口２２が形成されている。下部２ｂには、除塵フィルタ２３と、仕切り板２４とが形成されている。仕切り板２４は集塵容器２の下側に開いた開口の下側につながる底部集塵ケース（２５）との間に形成されている。なお、底部集塵ケース（２５）は、集塵容器２に対して着脱自在である。仕切り板２４は支持軸２４ａと蓋状部２４ｂとからなり、支持軸２４ａは上下に伸びて蓋状部２４ｂを支持するものであり、支持軸２４ａに支持された蓋状部２４ｂと、集塵容器２の底面との間には、排気ガスだまり空間Ｓが形成される。
【００３１】
なお、本実施例における円筒状の集塵容器２の具体的寸法は底面直径２３０ｍｍ×高さ４５０ｍｍであるが、特にこれに限るものではない。
【００３２】
流入口２１から流入した排気ガスは、円筒状の容器内に導かれて流速が遅くなり、長時間に亘って集塵容器内に滞在する。集塵容器２内をゆっくりと対流する排気ガスは、除塵容器２の下部２ｂに形成された除塵フィルタ２３によって再び除塵されると共に、仕切り板２４によって排気ガスだまり空間Ｓに導かれて塵（スス等）が集塵容器２内の底面に形成した開口を通じて底部集塵ケース（２５）に導かれ、排気ガスはその後、流出口２２から流出する。
【００３３】
なお、本考案の浄化装置システムＡは、自動車、船舶、産業機械（コンプレッサ、発電機、ホークリフト）などに利用可能である。
【図面の簡単な説明】
【００３４】
【図１】本考案の実施例の斜視図
【図２】本考案の実施例の断面図（浄化装置１）。
【図３】本考案の実施例の断面図（集塵容器２）。
【符号の説明】
【００３５】
１  浄化装置本体
１１ａ  流入口
１１ｂ  排気ガス流入管
１１ｃ  貫通孔
１２  上蓋部
１３  下底部
１４ａ  液体タンク
１４ｂ  上板
１４ｃ  貫通孔
１５  ヒーター
１６ａ  フロート
１６ｂ  液体導入口
１６ｃ  水温計
１７  除塵フィルタ
１８  排出口
２  集塵容器
２１  流入口
２２  排気口
２ａ  上部
２ｂ  下部
２３  除塵フィルタ
２４  仕切り板
２４ａ  支持軸
２４ｂ  蓋状部
２５  底部集塵ケース
Ｓ  排気ガスたまり空間
【図１】
0003118698.tif 000003
【図２】
0003118698.tif 000004
【図３】
0003118698.tif 000005